(57)【要約】【課題】簡易な操作で適切に着信通知をする装置を決定し得る端末装置及び着信制御方法を提供することを目的とする。【解決手段】携帯端末１は、ユーザが装着することが可能な機器であるウェアラブル機器２と通信可能である。近距離通信部１１は、ウェアラブル機器２をユーザが装着しているか否かを示す情報である装着情報をウェアラブル機器２から受信する。移動体通信部１２は、着信情報を受信する。移動体通信部１２が着信情報を受信した場合に、通話着信制御部１３は、近距離通信部１１により受信された装着情報を参照した結果、ウェアラブル機器２をユーザが装着していると判断したとき、ウェアラブル機器２に着信通知指示をする。【選択図】図３
2015195433.tif 000002
【特許請求の範囲】
【請求項１】
ユーザが装着することが可能な機器であるウェアラブル機器と通信可能な端末装置であって、
前記ウェアラブル機器をユーザが装着しているか否かを示す情報である装着情報を前記ウェアラブル機器から受信する装着情報受信手段と、
着信情報を受信する着信情報受信手段と、
前記着信情報受信手段により着信情報が受信された場合に、前記装着情報受信手段により受信された装着情報を参照した結果、前記ウェアラブル機器をユーザが装着していると判断したとき、前記ウェアラブル機器に着信通知指示をする着信制御手段と、を備える、端末装置。
【請求項２】
前記着信制御手段によって前記ウェアラブル機器への着信通知指示がされたことを契機として、前記端末装置の状態変化を検出する状態検出手段をさらに備え、
前記着信制御手段は、前記状態検出手段により端末装置の状態変化が検出された場合、前記ウェアラブル機器に対して着信通知の停止指示をする、請求項１に記載の端末装置。
【請求項３】
前記着信情報受信手段により受信された着信情報に対する応答をする応答手段をさらに備え、
前記着信制御手段は、前記応答手段により応答された場合、前記ウェアラブル機器に対して着信通知の停止指示をする、請求項１に記載の端末装置。
【請求項４】
前記着信制御手段は、前記装着情報受信手段により受信された装着情報を参照した結果、前記ウェアラブル機器をユーザが装着していないと判断したとき、前記端末装置自身で着信通知を行う、請求項１に記載の端末装置。
【請求項５】
前記装着情報受信手段は、複数のウェアラブル機器から装着情報を受信し、
前記複数のウェアラブル機器間の優先順位が予め設定され、
前記着信制御手段は、ユーザが装着しているウェアラブル機器の内、前記優先順位に基づいて定めたウェアラブル機器に着信通知指示をする、請求項１から４の何れか一項に記載の端末装置。
【請求項６】
前記ウェアラブル機器は、電話機能を有し、
前記装着情報受信手段によって、前記ウェアラブル機器をユーザが装着していないことを示す装着情報が受信されている場合に、前記ウェアラブル機器に対する着信の着信通知指示を前記ウェアラブル機器から受け付ける着信通知指示受付手段をさらに備え、
前記着信制御手段は、前記着信通知指示受付手段によって、前記ウェアラブル機器に対する着信の着信通知指示が受け付けられた場合、当該着信通知を行う、請求項１〜５の何れか一項に記載の端末装置。
【請求項７】
ユーザが装着することが可能な機器であるウェアラブル機器と通信可能な端末装置が実行する着信制御方法であって、
前記ウェアラブル機器をユーザが装着しているか否かを示す情報である装着情報を前記ウェアラブル機器から受信する装着情報受信ステップと、
着信情報を受信する着信情報受信ステップと、
前記着信情報受信ステップにより着信情報が受信された場合に、前記装着情報受信ステップにより受信された装着情報を参照した結果、前記ウェアラブル機器をユーザが装着していると判断したとき、前記ウェアラブル機器に着信通知指示をする着信制御ステップと、を含む着信制御方法。
【発明の詳細な説明】
【技術分野】
【０００１】
本発明は、端末装置、及び着信制御方法に関する。
【背景技術】
【０００２】
従来から、電話機能を有する端末装置に対する着信処理を他の装置に行わせる技術がある。例えば、特許文献１には、電話回線からの携帯電話装置へ着信があった場合に、着信があった旨を当該携帯電話装置とリンクしている腕時計型情報機器（装着型無線通信装置）に着信通知することが記載されている。これにより、鞄などに収納された携帯電話装置に着信があった場合に当該携帯電話装置のユーザに対応を迅速に行わせることが可能となる。
【先行技術文献】
【特許文献】
【０００３】
【特許文献１】特開２００２−８４５７５号公報
【発明の概要】
【発明が解決しようとする課題】
【０００４】
特許文献１に記載のように、ユーザが装着型無線通信装置と携帯電話とを携帯している場合に、ユーザが装着型無線通信装置へ着信させずに携帯電話に着信させたいときは、ユーザ操作により携帯電話と装着型無線通信装置とを設定させる必要がある。すなわち、携帯電話と装着型無線通信装置とに対して着信に関するＯＮ／ＯＦＦ設定操作をユーザに強いることになり、ユーザにとって操作が煩雑になるという問題があった。
【０００５】
そこで、本発明は、かかる課題に鑑みて為されたものであり、簡易な操作で適切に着信通知をする装置を決定し得る端末装置及び着信制御方法を提供することを目的とする。
【課題を解決するための手段】
【０００６】
本発明に係る端末装置は、ユーザが装着することが可能な機器であるウェアラブル機器と通信可能な端末装置であって、ウェアラブル機器をユーザが装着しているか否かを示す情報である装着情報をウェアラブル機器から受信する装着情報受信手段と、着信情報を受信する着信情報受信手段と、着信情報受信手段により着信情報が受信された場合に、装着情報受信手段により受信された装着情報を参照した結果、ウェアラブル機器をユーザが装着していると判断したとき、ウェアラブル機器に着信通知指示をする着信制御手段と、を備える。
【０００７】
また、本発明に係る着信制御方法では、ユーザが装着することが可能な機器であるウェアラブル機器と通信可能な端末装置が実行する着信制御方法であって、ウェアラブル機器をユーザが装着しているか否かを示す情報である装着情報をウェアラブル機器から受信する装着情報受信ステップと、着信情報を受信する着信情報受信ステップと、着信情報受信ステップにより着信情報が受信された場合に、装着情報受信ステップにより受信された装着情報を参照した結果、ウェアラブル機器をユーザが装着していると判断したとき、ウェアラブル機器に着信通知指示をする着信制御ステップと、を含む。
【０００８】
このような本発明に係る端末装置及び着信制御方法によれば、ウェアラブル機器からウェアラブル機器を装着しているか否かを示す情報である装着情報を受信して、当該装着情報を参照して、ウェアラブル機器をユーザが装着していると判断したときに、ウェアラブル機器へ着信通知指示をするので、端末装置やウェアラブル機器に対するユーザによる入力設定操作を介さずに着信通知の制御をすることができる。すなわち、簡易な操作で適切に着信通知をする装置を決定することができる。
【０００９】
本発明に係る端末装置では、着信制御手段によってウェアラブル機器への着信通知指示がされたことを契機として、端末装置の状態変化を検出する状態検出手段をさらに備え、着信制御手段は、状態検出手段により端末装置の状態変化が検出された場合、ウェアラブル機器に対して着信通知の停止指示をする、こととしてもよい。この場合、端末装置は、ウェアラブル機器に着信通知させている場合に、端末装置の状態変化（例えば、ユーザが端末装置に触れたことを示す状態変化）を検出したときに、ウェアラブル機器に着信通知の停止指示をするので、ユーザにウェアラブル機器への着信通知の停止操作をさせることなく、ウェアラブル機器に対して着信通知を停止させることができる。
【００１０】
また、本発明に係る端末装置では、着信情報受信手段により受信された着信情報に対する応答をする応答手段をさらに備え、着信制御手段は、応答手段により応答された場合、ウェアラブル機器に対して着信通知の停止指示をする。この場合、端末装置は、ウェアラブル機器に対して着信通知させている場合に、端末装置において着信情報に対する応答がなされたときに、ウェアラブル機器に着信通知の停止指示をするので、ユーザにウェアラブル機器への着信通知の停止操作をさせることなく、ウェアラブル機器に対して着信通知を停止させることができる。
【００１１】
本発明に係る端末装置では、着信制御手段は、装着情報受信手段により受信された装着情報を参照した結果、ウェアラブル機器をユーザが装着していないと判断したとき、端末装置自身で着信通知を行う。この場合、端末装置は、装着情報を参照して、ユーザがウェアラブル機器を装着していないときには、端末装置自身が着信通知をするので、ユーザがウェアラブル機器を装着していないにも関わらずウェアラブル機器に着信通知をさせることを防止することができる。また、端末装置は、装着情報を参照して着信通知をする装置を決定しているので、端末装置やウェアラブル機器に対するユーザによる入力設定操作を介さずに着信通知に関する制御をすることができる。
【００１２】
また、本発明に係る端末装置は、装着情報受信手段は、複数のウェアラブル機器から装着情報を受信し、複数のウェアラブル機器間の優先順位が予め設定され、着信制御手段は、ユーザが装着しているウェアラブル機器の内、優先順位に基づいて定めたウェアラブル機器に着信通知指示をする。この場合、端末装置は、複数のウェアラブル機器から装着情報を受信している際、予め定めた優先順位に基づいて着信通知をするウェアラブル機器を決めるので、ユーザ操作を介さずに装着しているウェアラブル機器全てに着信通知をさせてしまうことを防止することができる。
【００１３】
また、本発明に係る端末装置は、ウェアラブル機器が電話機能を有しており、装着情報受信手段によって、ウェアラブル機器をユーザが装着していないことを示す装着情報が受信されている場合に、ウェアラブル機器に対する着信の着信通知指示をウェアラブル機器から受け付ける着信通知指示受付手段をさらに備え、着信制御手段は、着信通知指示受付手段によって、ウェアラブル機器に対する着信の着信通知指示が受け付けられた場合、当該着信通知を行う。この場合、端末装置は、ユーザがウェアラブル機器を装着していないときに、ウェアラブル機器への着信の着信通知を代行することができる。また、装着情報に基づいて着信通知をする装置を決定しているので、端末装置やウェアラブル機器に対するユーザによる入力設定操作を介さずに着信通知に関する制御をすることができる。
【発明の効果】
【００１４】
本発明によれば、簡易な操作で適切に着信通知をする装置を決定することができる。
【図面の簡単な説明】
【００１５】
【図１】本発明の実施形態に係る携帯端末及びウェアラブル機器の概要図である。
【図２】本発明の実施形態に係る時計型のウェアラブル機器の背面図である。
【図３】本発明の実施形態に係る携帯端末のブロック図である。
【図４】本発明の実施形態に係る携帯端末のハードウェア構成を示す図である。
【図５】本発明の実施形態に係るウェアラブル機器のブロック図である。
【図６】ウェアラブル機器へ着信通知指示する処理のシーケンス図である。
【図７】複数のウェアラブル機器と接続可能である場合におけるウェアラブル機器へ着信通知指示する処理のシーケンス図である。
【図８】携帯端末へ着信通知指示する処理のシーケンス図である。
【図９】携帯端末の状態に応じて着信通知を停止させる処理のシーケンス図である。
【発明を実施するための形態】
【００１６】
以下、添付図面を参照して、本発明の実施形態について詳細に説明する。なお、図面の説明において同一又は相当要素には同一符号を付し、重複する説明は省略する。
【００１７】
図１は、本実施形態に係る携帯端末１（端末装置）及びウェアラブル機器２（ウェアラブル機器２Ａ、ウェアラブル機器２Ｂ、及びウェアラブル機器２Ｃ）の概要図である。携帯端末１は、携帯電話、スマートフォン等の端末装置である。携帯端末１は、基地局３と無線通信することが可能であり、携帯端末１宛ての着信情報を受信する。ウェアラブル機器２は、ユーザが装着することが可能な機器である。ウェアラブル機器２は、基地局３と無線通信することが可能であり、ウェアラブル機器２宛ての着信情報を受信する。ウェアラブル機器２には、様々な形態があり、例えば、時計型のウェアラブル機器２Ａやメガネ型のウェアラブル機器２Ｂやヘッドホン型のウェアラブル機器２Ｃ等がある。なお、携帯端末１とウェアラブル機器２とのユーザは同一であるものとする。
【００１８】
携帯端末１と、ウェアラブル機器２とは、近距離無線通信により、互いに情報の送受信をすることが可能である。また、ウェアラブル機器２は、センサー等を備えている。例えば、腕時計型のウェアラブル機器２Ａの場合、図２のウェアラブル機器２Ａの背面図（ユーザの装着側の図）に示すように、静電式センサー２４及びバックル開閉部２５（バックルが開閉したか否かを判断可能なスイッチ）を有する。ウェアラブル機器２Ａは、静電式センサー２４及びバックル開閉部２５の状態を監視して、ウェアラブル機器２Ａがユーザに装着されたか否かを判断する。また、ウェアラブル機器２Ｂ及びウェアラブル機器２Ｃも同様に、ウェアラブル機器２Ｂ及びウェアラブル機器２Ｃが備えるセンサーによる検出結果（センサー値）に基づいて、当該ウェアラブル機器２Ｂ及びウェアラブル機器２Ｃがユーザに装着されているか否かを判断する。
【００１９】
図１に戻り、携帯端末１は、ユーザがウェアラブル機器２を装着しているか否かに基づいて、携帯端末１やウェアラブル機器２に対する着信通知の制御を行う。例えば、ウェアラブル機器２がユーザによって装着されていると判断した場合、ウェアラブル機器２は、近距離無線通信により携帯端末１へユーザによって装着されている旨の情報を送信する。携帯端末１は、ユーザによって装着されている旨の情報を受信した場合に、当該情報を保持する。そして、携帯端末１は、基地局３から着信情報を受信した場合、ユーザによって装着されている旨の情報を保持しているとき、当該ウェアラブル機器２に対して着信通知の指示を行う。ウェアラブル機器２は、この着信通知の指示に応じて着信通知（例えば、鳴動、振動等による通知）を行う。そして、携帯端末１が基地局３から着信情報を受信した場合、携帯端末１がユーザによって装着されている旨の情報を保持していないときには、携帯端末１自身が着信通知をする。
【００２０】
また、携帯端末１は、ウェアラブル機器２に対して着信通知させている間、携帯端末１が備える静電式センサー１８への接触を検知した場合、ウェアラブル機器２に対して着信通知の停止指示をする。このように、携帯端末１は、ウェアラブル機器２がユーザに装着されているか否かに基づいて着信通知をする装置を切り替えるので、ユーザ操作を介さずに簡易な操作で適切に着信通知に関する制御をすることができる。
【００２１】
続いて、携帯端末１のブロック図を図３に示し、各ブロックの概要説明をする。図３に示すように、携帯端末１は、近距離通信部１１（装着情報受信手段、着信通知指示受付手段）と、移動体通信部１２（着信情報受信手段）と、通話着信制御部１３（着信制御手段、応答手段）と、近距離通信接続確認部１４と、鳴動部１５と、振動部１６と、加速度センサー１７と、静電式センサー１８と、照度センサー１９と、状態検出部２０（状態検出手段）と、を有する。
【００２２】
近距離通信部１１は、各ウェアラブル機器２と近距離通信を行う部分である。具体的には、近距離通信部１１は、近距離通信を行う通信インタフェースであり、例えば、ＢＬＥ（Bluetooth（登録商標）Low Energy）やＷｉＦｉ（Wireless Fidelity）の通信回路である。近距離通信部１１は、ユーザがウェアラブル機器２を装着したか否かを示す情報である装着情報をウェアラブル機器２から受信する。そして、近距離通信部１１は、ウェアラブル機器２から受信した装着情報を通話着信制御部１３に送出する。また、近距離通信部１１は、通話着信制御部１３から送出された着信通知指示（ウェアラブル機器２に着信通知をさせるための指示）をウェアラブル機器２へ送信する。また、近距離通信部１１は、ウェアラブル機器２が着信通知をしている際に、通話着信制御部１３から送出された着信通知の停止指示（ウェアラブル機器２に着信通知を停止させるための指示）をウェアラブル機器２へ送信する。
【００２３】
また、ウェアラブル機器２が電話機能（移動体通信機能）を備える場合、当該電話機能によって、基地局３からウェアラブル機器２宛ての着信情報が受信されたことを契機に、近距離通信部１１は、ウェアラブル機器２から着信通知指示を受信した場合、通話着信制御部１３に当該着信通知指示を送出する。
【００２４】
移動体通信部１２は、移動体通信機能を実行する移動体通信手段である。具体的には、移動体通信部１２は、ユーザの操作に応じて基地局３と無線通信を行い、音声データやパケットデータの送受信を行う。また、移動体通信部１２は、基地局３からの着信情報を受信した場合（すなわち、着信した場合）、通話着信制御部１３へ送出する。
【００２５】
通話着信制御部１３は、通話・着信に関する制御をする部分である。具体的には、通話着信制御部１３は、近距離通信部１１から取得した装着情報を保持する。通話着信制御部１３は、移動体通信部１２により着信情報が受信された場合に、近距離通信部１１により受信された装着情報（通話着信制御部１３が保持している装着情報）を参照した結果、ウェアラブル機器２をユーザが装着していると判断したとき、近距離通信部１１を介してウェアラブル機器２に対して着信通知指示をする。また、通話着信制御部１３は、移動体通信部１２により着信情報が受信された場合に、近距離通信部１１により受信された装着情報を参照した結果、ウェアラブル機器２をユーザが装着していないと判断したとき、携帯端末１自身が着信通知を行う。この場合、通話着信制御部１３は、鳴動部１５や振動部１６を動作させることにより、着信通知を行う。
【００２６】
また、通話着信制御部１３は、移動体通信部１２を介して着信した場合に、ユーザ操作により通話が開始されたこと（着信に対する応答があったこと）を検出する。通話着信制御部１３は、ウェアラブル機器２に対して着信通知指示をしている場合に、ユーザ操作により通話が開始されたことを検出したときに、近距離通信部１１を介してウェアラブル機器２へ着信通知の停止指示をする。また、通話着信制御部１３は、ウェアラブル機器２に対して着信通知指示をしている場合に、後述する状態検出部２０によって携帯端末１の状態変化を検出したときも、近距離通信部１１を介してウェアラブル機器２へ着信通知の停止指示をする。
【００２７】
また、通話着信制御部１３は、複数のウェアラブル機器２から装着情報を受信している場合、予め通話着信制御部１３において定義されている、複数のウェアラブル機器２間の優先順位に基づいて着信通知処理を行う。例えば、通話着信制御部１３は、当該優先順位の高いウェアラブル機器２へ着信通知指示を行う。なお、通話着信制御部１３は、最も優先順位の高いウェアラブル機器２のみへ着信通知指示をしてもよいし、優先順位順に着信通知指示できるか否かを判断してもよいし、優先順位が上位である複数のウェアラブル機器２へ着信通知指示するようにしてもよい。
【００２８】
また、通話着信制御部１３は、近距離通信部１１によって、ウェアラブル機器２から携帯端末１に対する着信の着信通知指示が受信された場合、鳴動部１５や振動部１６を動作させることにより、着信通知を行う。
【００２９】
なお、ウェアラブル機器２へ着信通知指示する条件は、ウェアラブル機器２をユーザが装着していると判断し、且つ携帯端末１が着信通知指示対象のウェアラブル機器２と接続可能であることとする。携帯端末１が着信通知指示対象のウェアラブル機器２と接続可能であるか否かは、後述する近距離通信接続確認部１４による確認結果に基づいて判断する。
【００３０】
近距離通信接続確認部１４は、携帯端末１がウェアラブル機器２と通信可能であるか否かを確認する部分である。具体的には、近距離通信接続確認部１４は、近距離通信によりウェアラブル機器２との間の近距離無線のリンクを確立していることを確認する。あるいは、近距離通信接続確認部１４が、ウェアラブル機器２との通信における応答を示す制御信号に基づいてウェアラブル機器２と通信できるか否かを確認するようにしてもよい。なお、近距離通信接続確認部１４は、ウェアラブル機器２との通信時における電波強度、あるいは、Ｓ／Ｎ比（Single To Noise Ratio）に基づいてウェアラブル機器２との通信可否を確認するようにしてもよい。近距離通信接続確認部１４によって接続確認がなされると、接続確認結果が通話着信制御部１３へ送出される。
【００３１】
鳴動部１５は、通話着信制御部１３による制御に従って着信音を出力する。具体的には、鳴動部１５は、スピーカ等である。
【００３２】
振動部１６は、通話着信制御部１３による制御に従って、振動を出力する部分である。具体的には、振動部１６は、バイブレータ等である。
【００３３】
加速度センサー１７は、携帯端末１自体の状態、すなわちユーザによる携帯端末１の保持状態を検出する部分であり、携帯端末１の動き等を見るために携帯端末１自体の加速度を検出するデバイスである。加速度センサー１７による検出結果は、状態検出部２０へ送出される。
【００３４】
静電式センサー１８は、携帯端末１とユーザとの接触を検知する部分であり、携帯端末１に対してユーザが触れたか否かを検出するデバイスである。静電式センサー１８による検出結果は、状態検出部２０へ送出される。
【００３５】
照度センサー１９は、照度の変化を検出するデバイスである。照度センサー１９による検出結果は、状態検出部２０へ送出される。
【００３６】
状態検出部２０は、携帯端末１の状態変化を検出する部分であり、加速度センサー１７、静電式センサー１８、及び照度センサー１９からの検出結果に基づいて携帯端末１の状態変化を検出する。状態検出部２０は、携帯端末１の状態の変化として、ユーザによって保持されていることを示す状態変化を検出する。
【００３７】
具体的には、状態検出部２０は、加速度センサー１７からの検出結果に基づいて携帯端末１に動きがあったと判断した場合、携帯端末１に動きがあった旨の検出結果を通話着信制御部１３へ送信する。また、状態検出部２０は、静電式センサー１８による検出結果に基づいて、携帯端末１への接触を検知した場合、接触があった旨の検出結果を通話着信制御部１３へ送信する。また、状態検出部２０は、照度センサー１９による検出結果に基づいて、携帯端末１の周囲が暗所から明所に変わったと判断した場合、携帯端末１の周囲の明るさに変化があった旨の検出結果を通話着信制御部１３へ送信する。
【００３８】
続いて、携帯端末１のハードウェア構成図の説明をする。携帯端末１は、図４に示すように、１又は複数のＣＰＵ１０１、主記憶装置であるＲＡＭ１０２及びＲＯＭ１０３、入力デバイスである入力キー等の入力装置１０４、加速度センサーや静電式センサー等のセンサー１０５、ディスプレイ、バイブレータ、スピーカ等の出力装置１０６、近距離通信及び移動体通信のネットワークインタフェース等のデータ送受信デバイスである通信モジュール１０７、半導体メモリ等の補助記憶装置１０８などを含むコンピュータシステムとして構成されている。携帯端末１は、図４に示すＣＰＵ１０１、ＲＡＭ１０２等のハードウェア上に所定のコンピュータソフトウェアを読み込ませることにより、ＣＰＵ１０１の制御のもとで入力装置１０４、センサー１０５、出力装置１０６、通信モジュール１０７を動作させるとともに、ＲＡＭ１０２や補助記憶装置１０８におけるデータの読み出し及び書き込みを行うことで実現される。
【００３９】
続いて、ウェアラブル機器２のブロック図を図５に示し、各ブロックの概要説明をする。図５に示すように、ウェアラブル機器２は、近距離通信部２１と、近距離通信接続確認部２２と、加速度センサー２３と、静電式センサー２４と、バックル開閉部２５と、装着判定部２６と、通話着信制御部２７と、鳴動部２８と、振動部２９と、移動体通信部３０と、を有する。なお、上記ウェアラブル機器２は、時計型のウェアラブル機器２（例えば、ウェアラブル機器２Ａ）を想定している。
【００４０】
近距離通信部２１は、携帯端末１と近距離通信を行う部分である。具体的には、近距離通信部２１は、近距離通信を行う通信インタフェースであり、例えば、ＢＬＥ（Bluetooth（登録商標）Low Energy）やＷｉＦｉ（Wireless Fidelity）の通信回路である。近距離通信部２１は、近距離通信接続確認部２２による通信要求に応じて、携帯端末１と通信する。また、近距離通信部２１は、後述する装着判定部２６による判定結果を示す情報である装着情報を装着判定部２６から取得すると、当該装着情報を携帯端末１へ送信する。また、近距離通信部２１は、携帯端末１から着信通知指示を受信する。この場合、近距離通信部２１は、通話着信制御部２７へ着信通知指示を送出する。
【００４１】
また、近距離通信部２１は、携帯端末１から着信通知指示を受信した後に、所定の条件（例えば、携帯端末１の状態検出部２０によって、携帯端末１の状態変化を検出したとき）により携帯端末１から着信通知の停止指示を受信する。この場合、近距離通信部２１は、着信通知の停止指示を通話着信制御部２７へ送出する。
【００４２】
また、近距離通信部２１は、ウェアラブル機器２が電話機能を備える場合、当該電話機能（後述する移動体通信部３０）によって、基地局３からウェアラブル機器２宛ての着信情報が受信されたことに基づいて、通話着信制御部２７から携帯端末１への着信通知指示を取得した場合、携帯端末１へ着信通知指示をする。
【００４３】
近距離通信接続確認部２２は、ウェアラブル機器２が携帯端末１と通信可能であるか否かを確認する部分である。具体的には、近距離通信接続確認部２２は、近距離通信により携帯端末１との間の近距離無線のリンクを確立していることを確認する。あるいは、近距離通信接続確認部２２が、携帯端末１との通信における応答を示す制御信号に基づいて携帯端末１と通信できるか否かを確認するようにしてもよい。なお、近距離通信接続確認部２２は、携帯端末１との通信時における電波強度、あるいは、Ｓ／Ｎ比（Single To Noise Ratio）に基づいて携帯端末１との通信可否を確認するようにしてもよい。近距離通信接続確認部２２によって接続確認がなされると、接続確認結果が装着判定部２６及び通話着信制御部２７へ送出される。
【００４４】
加速度センサー２３は、ウェアラブル機器２自体の状態、すなわちユーザによるウェアラブル機器２の保持状態を検出する部分であり、ウェアラブル機器２の動き等を見るためにウェアラブル機器２自体の加速度を検出するデバイスである。加速度センサー２３による検出結果は、装着判定部２６へ送信される。
【００４５】
静電式センサー２４は、ウェアラブル機器２とユーザとの接触を検知する部分であり、ウェアラブル機器２に対してユーザが触れたか否かを検出するデバイスである。静電式センサー２４による検出結果は、装着判定部２６へ送出される。
【００４６】
バックル開閉部２５は、バックルの開閉を検出するデバイスである。例えば、バックル開閉部２５は、バックルに取り付けられたスイッチにより実現する。バックル開閉部２５により判断された結果は、装着判定部２６へ送出される。
【００４７】
装着判定部２６は、ウェアラブル機器２の装着状態を検出する部分であり、加速度センサー２３、静電式センサー２４、及びバックル開閉部２５からの検出結果に基づいてウェアラブル機器２の装着状態を検出する。装着判定部２６は、ウェアラブル機器２の状態の変化として、ユーザによって装着されていることを示す状態変化を検出する。
【００４８】
具体的には、装着判定部２６は、加速度センサー２３による検出結果から、動きがある場合には、ユーザがウェアラブル機器２を装着していると判定し、一定時間動きが無い場合には、ユーザがウェアラブル機器２を装着していないと判定する。また、装着判定部２６は、静電式センサー２４による検出結果から、接触があると判定した場合には、ユーザがウェアラブル機器２を装着していると判定し、接触がないと判定した場合には、ユーザがウェアラブル機器２を装着していないと判定する。また、装着判定部２６は、バックル開閉部２５によって、バックル開閉部２５によりバックルが閉じていると判定した場合、ユーザがウェアラブル機器２を装着していると判定し、バックルが開いていると判定した場合、ユーザがウェアラブル機器２を装着していないと判定する。なお、装着判定部２６は、バックル開閉部２５による所定期間の判断結果を用いてバックルの状態を判定した結果、バックルが開いてすぐに閉じたと判定した場合にウェアラブル機器２を装着していると判定するようにしてもよい。
【００４９】
装着判定部２６によって判定された判定結果は、装着情報として通話着信制御部２７及び近距離通信部２１へ送出される。なお、通話着信制御部２７へ送出された装着情報を、ウェアラブル機器２自身が保持する。近距離通信部２１は、装着判定部２６によって送出された装着情報を携帯端末１へ送信する。
【００５０】
通話着信制御部２７は、通話・着信に関する制御をする部分である。具体的には、通話着信制御部２７は、携帯端末１から着信通知指示がなされた場合、後述する鳴動部２８又は振動部２９を動作させることにより着信通知を行う。また、通話着信制御部２７は、携帯端末１から着信通知指示がなされた後に、着信通知の停止指示を受けた場合、着信通知を停止する。
【００５１】
また、通話着信制御部２７は、後述する移動体通信部３０により着信情報が受信された場合の着信通知の制御も行う。具体的に、通話着信制御部２７は、通話着信制御部２７自身が保持する装着情報（装着判定部２６から取得した装着情報）を参照した結果、ウェアラブル機器２をユーザが装着していないと判断し、且つウェアラブル機器２と携帯端末１とが接続しているとき、近距離通信部２１を介して携帯端末１へ着信通知指示をする。
【００５２】
なお、通話着信制御部２７は、後述する移動体通信部３０により着信情報が受信された場合に、保持している装着情報を参照した結果、ウェアラブル機器２をユーザが装着していないと判断した場合、又はウェアラブル機器２が携帯端末１と接続していないとき、鳴動部２８及び振動部２９を動作させることにより着信通知を行う。
【００５３】
鳴動部２８は、通話着信制御部２７による制御に従って着信音を出力する。具体的には、鳴動部２８は、スピーカ等である。
【００５４】
振動部２９は、通話着信制御部２７による制御に従って、振動を出力する部分である。具体的には、振動部２９は、バイブレータ等である。
【００５５】
移動体通信部３０は、移動体通信機能を実行する移動体通信手段である。具体的には、移動体通信部３０は、ユーザの操作に応じて基地局３と無線通信を行い、音声データやパケットデータの送受信を行う。また、移動体通信部３０は、基地局３からの着信情報を受信した場合（すなわち、着信した場合）、通話着信制御部２７へ送信する。
【００５６】
続いて、図６〜９のシーケンス図を用いて、本実施形態に係る携帯端末１及びウェアラブル機器２で実行される処理及び動作を説明する。図６に記載のシーケンス図は、携帯端末１が着信情報を受信した場合に、携帯端末１が、ウェアラブル機器２の装着状態に応じて着信通知する装置を決定する処理のシーケンス図である。
【００５７】
まず、ウェアラブル機器２の各種センサー（例えば、加速度センサー２３、静電式センサー２４、及びバックル開閉部２５）による検出結果が適宜装着判定部２６へ送出され、装着判定部２６は、当該検出結果に基づいてユーザがウェアラブル機器２を装着しているか否かを判定する（ステップＳ１）。すなわち、装着判定部２６は、装着状態を判定する。
【００５８】
そして、ウェアラブル機器２の近距離通信部２１は、装着判定部２６によって判定された結果である装着情報（装着状態を示す情報）を携帯端末１へ送信する（ステップＳ２）。このように、近距離通信部２１は、携帯端末１へ装着状態を通知する。そして、携帯端末１の近距離通信部１１は、装着情報を受信し、当該装着情報を通話着信制御部１３で保持する（ステップＳ３）。
【００５９】
その後、基地局３から電話・メッセージの通知（着信情報）が携帯端末１へ送信されると（ステップＳ４）、移動体通信部１２が当該着信情報を受信する。
【００６０】
近距離通信接続確認部１４によるウェアラブル機器２との接続確認結果がウェアラブル機器２と接続していることを示しており（ステップＳ５；ＹＥＳ）、近距離通信部１１が受信した装着情報が、装着していることを示す情報である場合（ステップＳ６；ＹＥＳ）、通話着信制御部１３は、ウェアラブル機器２に対して着信通知指示として鳴動指示を行う（ステップＳ７）。ウェアラブル機器２の近距離通信部２１は、鳴動指示を受信する。そして、通話着信制御部２７は、当該指示に従って、鳴動部２８を動作させる（ステップＳ８）。
【００６１】
ウェアラブル機器２による鳴動処理に応じて、ユーザが携帯端末１を操作して着信応答をしたことを、通話着信制御部１３が検知すると（ステップＳ９）、通話着信制御部１３は、ウェアラブル機器２に対して着信通知の停止指示として鳴動停止を指示する（ステップＳ１０）。ウェアラブル機器２の通話着信制御部２７は、鳴動部２８を停止させる（ステップＳ１１）。
【００６２】
なお、ステップＳ５において、ウェアラブル機器２が接続されていないと判断した場合（ステップＳ５；ＮＯ）、又はステップＳ６においてウェアラブル機器２が装着されていないと判断した場合（ステップＳ６；ＮＯ）、通話着信制御部１３は、携帯端末１の鳴動部１５を動作させることにより、携帯端末１自身で着信通知を行う（ステップＳ１２）。そして、鳴動部１５による鳴動処理に応じて、ユーザが携帯端末１を操作して着信応答をしたことを、通話着信制御部１３が検知すると（ステップＳ１３）、通話着信制御部１３は、鳴動部１５の動作を停止させる（ステップＳ１４）。
【００６３】
続いて、図７に示すシーケンス図の説明をする。図７に示すシーケンス図は、携帯端末１が複数のウェアラブル機器（ウェアラブル機器２Ａ、ウェアラブル機器２Ｂ）から装着情報を受信した場合における着信通知の制御処理に関するシーケンス図である。なお、ウェアラブル機器２Ａの方がウェアラブル機器２Ｂより優先順位が高いものとする。なお、図７のシーケンス図では、便宜上、ウェアラブル機器２Ａを「ウェアラブル機器Ａ」、又は単に「Ａ」と表す。そして、ウェアラブル機器２Ｂを「ウェアラブル機器Ｂ」、又は単に「Ｂ」と表す。
【００６４】
まず、ウェアラブル機器２Ａの各種センサー（例えば、加速度センサー２３、静電式センサー２４、及びバックル開閉部２５）による検出結果が適宜装着判定部２６へ送信され、装着判定部２６は、当該検出結果に基づいてユーザがウェアラブル機器２を装着しているか否かを判定する（ステップＳ２１）。
【００６５】
そして、ウェアラブル機器２Ａの近距離通信部２１は、装着判定部２６によって判定された結果である装着情報を携帯端末１へ送信する（ステップＳ２２）。
【００６６】
そして、ウェアラブル機器２Ｂにおいても、ウェアラブル機器２Ａと同様に、各種センサーによる検出結果が装着判定部２６へ送信され、装着判定部２６は、当該検出結果に基づいてユーザがウェアラブル機器２を装着しているか否かを判定し（ステップＳ２３）、ウェアラブル機器２Ｂの近距離通信部２１は、装着判定部２６によって判定された結果である装着情報を携帯端末１へ送信する（ステップＳ２４）。
【００６７】
携帯端末１の近距離通信部１１は、ウェアラブル機器２Ａ及びウェアラブル機器２Ｂから装着情報を受信し、当該装着情報を通話着信制御部１３で保持する（ステップＳ２５）。
【００６８】
その後、基地局３から電話・メッセージの通知（着信情報）が携帯端末１へ送信されると（ステップＳ２６）、移動体通信部１２が当該着信情報を受信する。
【００６９】
通話着信制御部１３は、移動体通信部１２が着信情報を受信すると、予め保持している優先順位の情報を参照する（ステップＳ２７）。
【００７０】
近距離通信接続確認部１４によるウェアラブル機器２Ａとの接続確認結果がウェアラブル機器２Ａと接続していることを示しており（ステップＳ２８；ＹＥＳ）、近距離通信部１１がウェアラブル機器２Ａから受信した装着情報が、装着していることを示す情報である場合（ステップＳ３１；ＹＥＳ）、通話着信制御部１３は、ウェアラブル機器２Ａに対して着信通知指示を行う（ステップＳ３４）。ここでは、着信通知として、ウェアラブル機器２Ａを鳴動させることを指示する。そして、ウェアラブル機器２Ａの通話着信制御部１３は、携帯端末１からの着信通知指示に応じて鳴動させる（ステップＳ３５）。
【００７１】
なお、ステップＳ２８において、携帯端末１とウェアラブル機器２Ａとが接続されていないと判断した場合（ステップＳ２８；ＮＯ）、又はステップＳ３１においてウェアラブル機器２Ａが装着されていないと判断した場合（ステップＳ３１；ＮＯ）、通話着信制御部１３は、ウェアラブル機器２Ｂに対して着信通知指示が可能か否かを判断する。
【００７２】
具体的には、近距離通信接続確認部１４によるウェアラブル機器２Ｂとの接続確認結果がウェアラブル機器２Ｂと接続していることを示しており（ステップＳ２９；ＹＥＳ）、近距離通信部１１がウェアラブル機器２Ｂから受信した装着情報が、装着していることを示す情報である場合（ステップＳ３０；ＹＥＳ）、通話着信制御部１３は、ウェアラブル機器２Ｂに対して着信通知指示を行う（ステップＳ３２）。そして、ウェアラブル機器２Ｂの通話着信制御部１３は、携帯端末１からの着信通知指示に応じて鳴動させる（ステップＳ３３）。
【００７３】
携帯端末１からウェアラブル機器２Ａ又はウェアラブル機器２Ｂに対して着信通知指示をした後に、携帯端末１で着信に対する応答（着信応答）があった場合（ステップＳ３６又はステップＳ３７）、携帯端末１の通話着信制御部１３は、近距離通信部１１を介してウェアラブル機器２Ａ又はウェアラブル機器２Ｂに対して着信通知の停止指示をする（ステップＳ３８）。ウェアラブル機器２Ａ又はウェアラブル機器２Ｂの通話着信制御部２７は、これに応じて着信通知を停止する（ステップＳ３９）。
【００７４】
なお、ステップＳ２９において、携帯端末１がウェアラブル機器２Ｂと接続されていないと判断した場合（ステップＳ２９；ＮＯ）、又はステップＳ３０においてウェアラブル機器２Ｂが装着されていないと判断した場合（ステップＳ３０；ＮＯ）、通話着信制御部１３は、携帯端末１の鳴動部１５を動作させることにより、着信通知を行う（ステップＳ４０）。そして、鳴動部１５による鳴動処理に応じて、ユーザが携帯端末１を操作して着信応答をしたことを、通話着信制御部１３が検知すると（ステップＳ４１）、通話着信制御部１３は、鳴動部１５の動作を停止させる（ステップＳ４２）。
【００７５】
続いて、図８に示すシーケンス図の説明をする。図８に示すシーケンス図は、ウェアラブル機器２が基地局３から着信情報を受信した場合に、ウェアラブル機器２の装着状態に応じて着信通知の制御をするシーケンス図である。
【００７６】
まず、ウェアラブル機器２の各種センサー（例えば、加速度センサー２３、静電式センサー２４、及びバックル開閉部２５）による検出結果が適宜装着判定部２６へ送信され、装着判定部２６は、当該検出結果に基づいてユーザがウェアラブル機器２を装着しているか否かを判定する（ステップＳ５１）。
【００７７】
そして、ウェアラブル機器２の近距離通信部２１は、装着判定部２６によって判定された結果である装着情報を携帯端末１へ送信する（ステップＳ５２）。携帯端末１の近距離通信部１１は、装着情報を受信し、当該装着情報を通話着信制御部１３で保持する（ステップＳ５３）。
【００７８】
その後、基地局３から電話・メッセージの通知（着信情報）がウェアラブル機器２へ送信されると（ステップＳ５４）、移動体通信部３０が当該着信情報を受信する。
【００７９】
上記の装着情報が、ウェアラブル機器２本体がユーザによって装着されていないことを示す情報であり（ステップＳ５５；ＮＯ）、近距離通信接続確認部２２による携帯端末１との接続確認結果が携帯端末１と接続していることを示している場合（ステップＳ５６；ＹＥＳ）、通話着信制御部２７は、携帯端末１に対して着信通知指示（鳴動指示）を行う（ステップＳ５７）。携帯端末１の通話着信制御部１３は、着信通知指示に応じて鳴動処理を行う（ステップＳ５８）。
【００８０】
なお、ステップＳ５５において、ウェアラブル機器２が装着されていると判断した場合（ステップＳ５５；ＹＥＳ）、又はステップＳ５６において携帯端末１と接続されていないと判断した場合（ステップＳ５６；ＮＯ）、通話着信制御部２７は、ウェアラブル機器２の鳴動部２８を動作させることにより、着信通知指示を行う（ステップＳ５９）。
【００８１】
続いて、図９のシーケンス図の説明をする。図９に記載のシーケンス図は、携帯端末１がウェアラブル機器２へ着信通知指示をした後に、携帯端末１が備えるセンサーにより携帯端末１の動きを検知した際に、例えば、鳴動を停止させる処理のシーケンス図である。
【００８２】
まず、ウェアラブル機器２の各種センサーによる検出結果が適宜装着判定部２６へ送信され、装着判定部２６は、当該検出結果に基づいてユーザがウェアラブル機器２を装着しているか否かを判定する（ステップＳ６１）。
【００８３】
そして、ウェアラブル機器２の近距離通信部２１は、装着判定部２６によって判定された結果である装着情報を携帯端末１へ送信する（ステップＳ６２）。携帯端末１の近距離通信部１１は、装着情報を受信し、当該装着情報を通話着信制御部１３で保持する（ステップＳ６３）。
【００８４】
その後、基地局３から電話・メッセージの通知（着信情報）が携帯端末１へ送信されると（ステップＳ６４）、移動体通信部１２が当該着信情報を受信する。
【００８５】
近距離通信接続確認部１４によるウェアラブル機器２との接続確認結果がウェアラブル機器２と接続していることを示しており（ステップＳ６５；ＹＥＳ）、近距離通信部１１が受信した装着情報が、装着していることを示す情報である場合（ステップＳ６６；ＹＥＳ）、通話着信制御部１３は、ウェアラブル機器２に対して着信通知指示（鳴動指示）を行う（ステップＳ６７）。そして、通話着信制御部２７は、上記鳴動指示に従って、鳴動部２８を動作させる（ステップＳ６８）。
【００８６】
ウェアラブル機器２に鳴動処理させた後に、状態検出部２０によって、携帯端末１の状態変化が検知されると（ステップＳ６９）、通話着信制御部１３は、ウェアラブル機器２に対して鳴動停止を指示する（ステップＳ７０）。ウェアラブル機器２の通話着信制御部２７は、鳴動を停止させる（ステップＳ７１）。
【００８７】
なお、ステップＳ６５において、ウェアラブル機器２が接続されていないと判断した場合（ステップＳ６５；ＮＯ）、又はステップＳ６６においてウェアラブル機器２が装着されていないと判断した場合（ステップＳ６６；ＮＯ）、通話着信制御部１３は、携帯端末１の鳴動部１５を動作させることにより、携帯端末１自身で着信通知を行う（ステップＳ７２）。そして、鳴動部１５による鳴動処理に応じて、ユーザが携帯端末１を操作して着信応答をしたことを、通話着信制御部１３が検知すると（ステップＳ７３）、通話着信制御部１３は、鳴動部１５の動作を停止させる（ステップＳ７４）。
【００８８】
上述の実施形態では、ウェアラブル機器２が移動体通信部３０を備える場合について述べたが、ウェアラブル機器２は、移動体通信部３０のような電話機能を備えなくてもよい。
【００８９】
（作用効果）
続いて、作用効果について説明する。本実施形態における携帯端末１は、ユーザが装着することが可能な機器であるウェアラブル機器２と通信可能である。近距離通信部１１は、ウェアラブル機器２をユーザが装着しているか否かを示す情報である装着情報をウェアラブル機器２から受信し、通話着信制御部１３がこの装着情報を保持する。移動体通信部１２は、着信情報を受信する。移動体通信部１２が着信情報を受信した場合に、通話着信制御部１３は、近距離通信部１１により受信された装着情報（通話着信制御部１３が保持する装着情報）を参照した結果、ウェアラブル機器２をユーザが装着していると判断したとき、ウェアラブル機器２に着信通知指示をする。
【００９０】
この場合、ウェアラブル機器２を装着しているか否かを示す情報である装着情報をウェアラブル機器２から受信して、当該装着情報を参照して、ウェアラブル機器２をユーザが装着していると判断したときに、ウェアラブル機器２へ着信通知をするので、携帯端末１やウェアラブル機器２に対するユーザによる入力設定操作を介さずに着信通知の制御をすることができる。また、ウェアラブル機器２をユーザが装着している場合、携帯端末１は、ウェアラブル機器２に着信通知させた方が携帯端末１自身で着信通知する場合と比較して、より確実にユーザへ着信通知を確認させることができる。すなわち、携帯端末１は、簡易な操作で適切に着信通知をする装置を決定することができる。
【００９１】
また、本実施形態の携帯端末１において状態検出部２０は、通話着信制御部１３によってウェアラブル機器２への着信通知指示がされたことを契機として、携帯端末１の状態変化を検出する。状態検出部２０により携帯端末１の状態変化が検出された場合、通話着信制御部１３は、ウェアラブル機器２に対して着信通知の停止指示をする。このように、携帯端末１は、ウェアラブル機器２に着信通知をさせている場合に、携帯端末１の状態変化（例えば、ユーザが携帯端末１に触れたことを示す状態変化）を検出したときに、ウェアラブル機器２に対して着信通知の停止指示をするので、ユーザにウェアラブル機器２への着信通知の停止操作をさせることなく、ウェアラブル機器２に対して着信通知を停止させることができる。
【００９２】
また、本実施形態の携帯端末１において通話着信制御部１３は、移動体通信部１２により受信された着信情報に対する応答をし、通話着信制御部１３は、着信情報に対する応答をした場合、ウェアラブル機器２に対して着信通知の停止指示をする。このように、携帯端末１は、ウェアラブル機器２に対して着信通知させている場合に、携帯端末１において着信情報に対する応答がなされたときに、ウェアラブル機器２に着信通知の停止指示をするので、ユーザにウェアラブル機器２への着信通知の停止操作をさせることなく、ウェアラブル機器２に対して着信通知を停止させることができる。
【００９３】
また、本実施形態の携帯端末１において通話着信制御部１３は、近距離通信部１１により受信された装着情報を参照した結果、ウェアラブル機器２をユーザが装着していないと判断したとき、携帯端末１自身で着信通知を行う。この場合、携帯端末１は、装着情報を参照して、ユーザがウェアラブル機器２を装着していないときには携帯端末１自身が着信通知をするので、ユーザがウェアラブル機器２を装着していないにも関わらずウェアラブル機器２に着信通知をさせることを防止することができる。また、携帯端末１は、装着情報を参照して着信通知をする装置を決定しているので、携帯端末１やウェアラブル機器２に対するユーザによる入力設定操作を介さずに着信通知に関する制御をすることができる。
【００９４】
また、本実施形態の携帯端末１において近距離通信部１１は、複数のウェアラブル機器２から装着情報を受信する。携帯端末１は、複数のウェアラブル機器間の優先順位が予め設定されている。通話着信制御部１３は、ユーザが装着しているウェアラブル機器２の内、優先順位に基づいて定めたウェアラブル機器２に着信通知指示をする。この場合、携帯端末１は、複数のウェアラブル機器２から装着情報を受信している際、予め定めた優先順位に基づいて着信通知をするウェアラブル機器２を決めるので、装着しているウェアラブル機器２全てに着信通知をさせてしまうことを防止することができる。
【００９５】
また、本実施形態の携帯端末１においてウェアラブル機器２は、電話機能として移動体通信部３０を有しており、近距離通信部１１は、ウェアラブル機器２をユーザが装着していないことを示す装着情報が受信されている場合に、ウェアラブル機器２に対する着信の着信通知指示を受け付ける。通話着信制御部１３は、近距離通信部１１によって、ウェアラブル機器２に対する着信の着信通知指示が受け付けられた場合、当該着信通知を行う。この場合、携帯端末１は、ユーザがウェアラブル機器２を装着していないときに、ウェアラブル機器２への着信の着信通知を代行することができる。また、装着情報に基づいて着信通知する装置を決定しているので、携帯端末１やウェアラブル機器２に対するユーザによる入力設定操作を介さずに着信通知に関する制御をすることができる。
【符号の説明】
【００９６】
１…携帯端末、２、２Ａ、２Ｂ、２Ｃ…ウェアラブル機器、１１…近距離通信部、１２…移動体通信部、１３…通話着信制御部、１４…近距離通信接続確認部、１５…鳴動部、１６…振動部、１７…加速度センサー、１８…静電式センサー、１９…照度センサー、２０…状態検出部、２１…近距離通信部、２２…近距離通信接続確認部、２３…加速度センサー、２４…静電式センサー、２５…バックル開閉部、２６…装着判定部、２７…通話着信制御部、２８…鳴動部、２９…振動部。
【図１】
2015195433.tif 000003
【図２】
2015195433.tif 000004
【図３】
2015195433.tif 000005
【図４】
2015195433.tif 000006
【図５】
2015195433.tif 000007
【図６】
2015195433.tif 000008
【図７】
2015195433.tif 000009
【図８】
2015195433.tif 000010
【図９】
2015195433.tif 000011